【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
第１ストッパ部材と当接して第１位置に保持され且つ第２ストッパ部材と当接して第２位置に保持されるようベース部材に回転自在に支持された回転レバーと、
この回転レバーと前記ベース部材間に介装されて前記第１位置では前記回転レバーを前記第１ストッパ部材に向けて付勢し且つ前記第２位置では前記回転レバーを前記第２ストッパ部材に向けて付勢するトーションスプリングを備えていて、
前記回転レバーを前記第１位置と前記第２位置の２つの位置で弾性的に保持することが可能な回転レバーの位置保持装置であり、
前記トーションスプリングが、前記ベース部材に支持される巻回部分と、該巻回部分からその径方向に延在し前記回転レバーに形成された係合部を挟んで互いに対向し合う第１腕部分および第２腕部分を有していて、
前記第１腕部分には、前記回転レバーの前記第１位置から前記第２位置への回転に伴う円弧軌跡の中間部位で前記係合部が頂部を乗り越えながら係合して、前記回転レバーが前記第１位置にある時に前記回転レバーを前記第１ストッパ部材に向けて付勢し、且つ、前記回転レバーが前記第２位置にある時に前記回転レバーを前記第２ストッパ部材に向けて付勢する山部が形成され、
前記第２腕部分には、前記回転レバーの少なくとも前記中間部位から前記第１位置にて前記係合部が係合して、前記回転レバーが前記第１位置にある時に前記第１腕部分による前記第１ストッパ部材に向けた付勢力より小さい付勢力で前記回転レバーを前記第２ストッパ部材に向けて付勢する付勢部が形成されている、回転レバーの位置保持装置。
【請求項２】
請求項１に記載の回転レバーの位置保持装置において、
前記付勢部は、前記回転レバーの前記第１位置から前記第２位置への回転に伴う円弧軌跡で前記係合部が常に下りながら係合して、前記回転レバーが前記第１位置にある時に前記第１腕部分による前記第１ストッパ部材に向けた付勢力より小さい付勢力で前記回転レバーを前記第２ストッパ部材に向けて付勢し、且つ、前記回転レバーが前記第２位置にある時に前記回転レバーを前記第２ストッパ部材に向けて付勢する直線部である、回転レバーの位置保持装置。
【請求項３】
請求項１に記載の回転レバーの位置保持装置において、
前記付勢部は、
前記回転レバーの前記中間部位から前記第１位置にて前記係合部が係合して、前記回転レバーが前記第１位置にある時に前記第１腕部分による前記第１ストッパ部材に向けた付勢力より小さい付勢力で前記回転レバーを前記第２ストッパ部材に向けて付勢する第１付勢部と、
前記回転レバーの前記中間部位から前記第２位置にて前記係合部が係合して、前記回転レバーが前記第２位置にある時に前記第１腕部分による前記第２ストッパ部材に向けた付勢力より小さい付勢力で前記回転レバーを前記第１ストッパ部材に向けて付勢する第２付勢部と、
を有する回転レバーの位置保持装置。
【請求項４】
請求項１又は２に記載の回転レバーの位置保持装置において、
前記トーションスプリングの付勢力よりも小さい付勢力にて前記回転レバーを前記第１位置に向けて常に付勢するスプリングを備える、回転レバーの位置保持装置。
【請求項５】
請求項４に記載の回転レバーの位置保持装置と、
ドアを車体に対して閉じた状態で保持可能なラッチ機構と、
このラッチ機構が有するリフトレバーと、
このリフトレバーに対して係合可能なロック位置から係合不能なアンロック位置に移行することで前記ドアをロック状態からアンロック状態にするオープンリンクとを備え、
前記回転レバーは、前記第１位置にて前記オープンリンクを前記アンロック位置とし、前記第２位置にて前記オープンリンクを前記ロック位置とするアクティブレバーであって、
前記スプリングは前記オープンリンクを前記アンロック位置に向けて付勢するリターンスプリングである、車両用ドアロック装置。
【請求項６】
第１ストッパ部材と当接して第１位置に保持され且つ第２ストッパ部材と当接して第２位置に保持されるようベース部材に回転自在に支持された回転レバーと、この回転レバーと前記ベース部材間に介装されて前記第１位置では前記回転レバーを前記第１ストッパ部材に向けて付勢し且つ前記第２位置では前記回転レバーを前記第２ストッパ部材に向けて付勢するトーションスプリングを備えていて、前記回転レバーを前記第１位置と前記第２位置の２つの位置で弾性的に保持することが可能な回転レバーの位置保持装置であり、
前記トーションスプリングが、前記ベース部材に支持される巻回部分と、該巻回部分から前記ボス部の軸方向とは略直交する径方向に延在し前記回転レバーに形成された係合部を挟んで互いに対向し合う第１腕部分および第２腕部分を有していて、
前記第１腕部分には、前記回転レバーの前記第１位置から前記第２位置への回転に伴う円弧軌跡の中間部位で前記係合部が頂部を乗り越えながら係合して、前記回転レバーが前記第１位置にある時に前記回転レバーを前記第１ストッパ部材に向けて付勢し、且つ、前記回転レバーが前記第２位置にある時に前記回転レバーを前記第２ストッパ部材に向けて付勢する山部が形成され、
前記第２腕部分には、前記回転レバーの前記第１位置から前記第２位置への回転に伴う円弧軌跡で前記係合部が常に上りながら係合して、前記回転レバーが前記第１位置にある時に前記回転レバーを前記第１ストッパ部材に向けて付勢し、且つ、前記回転レバーが前記第２位置にある時に前記第１腕部分による前記第２ストッパ部材に向けた付勢力より小さい付勢力で前記回転レバーを前記第１ストッパ部材に向けて付勢する直線部が形成されている、回転レバーの位置保持装置。
【手続補正２】
【補正対象書類名】明細書
【補正対象項目名】０００７
【補正方法】変更
【補正の内容】
【０００７】
（課題を解決するための手段）
本発明は、上記した問題を解決すべくなされたものであり、
第１ストッパ部材と当接して第１位置に保持され且つ第２ストッパ部材と当接して第２位置に保持されるようベース部材に回転自在に支持された回転レバーと、この回転レバーと前記ベース部材間に介装されて前記第１位置では前記回転レバーを前記第１ストッパ部材に向けて付勢し且つ前記第２位置では前記回転レバーを前記第２ストッパ部材に向けて付勢するトーションスプリングを備えていて、前記回転レバーを前記第１位置と前記第２位置の２つの位置で弾性的に保持することが可能な回転レバーの位置保持装置であり、
前記トーションスプリングが、前記ベース部材に支持される巻回部分と、該巻回部分からその径方向に延在し前記回転レバーに形成された係合部を挟んで互いに対向し合う第１腕部分および第２腕部分を有していて、
前記第１腕部分には、前記回転レバーの前記第１位置から前記第２位置への回転に伴う円弧軌跡の中間部位で前記係合部が頂部を乗り越えながら係合して、前記回転レバーが前記第１位置にある時に前記回転レバーを前記第１ストッパ部材に向けて付勢し、且つ、前記回転レバーが前記第２位置にある時に前記回転レバーを前記第２ストッパ部材に向けて付勢する山部（凸状屈曲部）が形成され、
前記第２腕部分には、前記回転レバーの少なくとも前記中間部位から前記第１位置にて前記係合部が係合して、前記回転レバーが前記第１位置にある時に前記第１腕部分による前記第１ストッパ部材に向けた付勢力より小さい付勢力で前記回転レバーを前記第２ストッパ部材に向けて付勢する付勢部が形成されている（請求項１に係る発明）。